【事件の表示】
　特許第３４３５１４９号「冷蔵庫」の請求項１ないし７に係る特許に対する特許異議の申立てについて、次のとおり決定する。
【結　論】
　訂正を認める。
　特許第３４３５１４９号の請求項１に係る特許を維持する。
【理　由】
１．出願手続の経緯
　本件特許第３４３５１４９号に係る出願は、平成７年５月１１日に出願した特願平７−１１２８０８号の一部を平成１３年４月２７日に新たな特許出願として出願したものであって、平成１５年５月３０日に特許権の設定登録がなされたものである（特許掲載公報発行日：同年８月１１日）。
　
２．特許異議の申立て
　平成１５年１２月１９日付けで松野靖恵から特許異議の申立がなされた。その概要は以下のとおりである。
　
（１）請求項１ないし７に係る特許は、いわゆる新規事項を追加する補正をした特許出願に対してされたものであり、特許法第１１３条第１項第１号に該当し取り消されるべきものである。
　
（２）本件出願は、原出願（特願平７−１１２８０８号）の分割出願ではないことから出願日は遡及しない。請求項１ないし７に係る発明は、本件出願の出願前に頒布された原出願の公開公報（特開平８−３０３９１５号公報）に記載された発明に基づいて当業者が容易に発明をすることができたものである。したがって、本件特許は、特許法第２９条第２項の規定に違反してされたものであり、特許法第１１３条第１項第２号に該当し取り消されるべきものである。
　
３．訂正請求
（１）手続の経緯
　この特許異議の申立てにより、平成１６年５月２４日付けで取消理由が通知され（発送日は同年６月４日）、これに対して、同年８月２日付けで意見書が提出されると共に、訂正請求がなされた。
　
（２）訂正の趣旨
　本件訂正請求は、本件明細書を本件訂正請求書に添付した訂正明細書のとおりに訂正することを求めるものであり、その内容は次のとおりである。
　
　（ａ）特許請求の範囲の請求項１ないし３、及び請求項５ないし７を削除する。
　
　（ｂ）発明の詳細な説明を特許請求の範囲の訂正に適合させる。
　
（３）訂正の可否
　上記（ａ）の請求項の削除は、特許請求の範囲の減縮を目的とするものであり、当然に、特許明細書又は図面に記載した事項の範囲内においてするものであって、実質上特許請求の範囲を拡張し、又は変更するものでもない。
　
　上記（ｂ）の発明の詳細な説明を特許請求の範囲の訂正に適合させる訂正は、明りょうでない記載の釈明を目的とするものであり、当然に、特許明細書又は図面に記載した事項の範囲内においてするものであって、実質上特許請求の範囲を拡張し、又は変更するものでもない。
　
　したがって、本件訂正請求に係る訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法１２６条第１項ただし書、第２項及び第３項の規定に適合するので、当該訂正を認める。
　
４．異議申立についての判断
（１）いわゆる新規事項を追加する補正をしたとの主張について
　
　ア．異議申立人は、請求項１及び２において「前記給水導管は、前記野菜室より取付け、取外し可能な継パイプである。」とする点は、出願当初の明細書又は図面に記載されたものではなく、この点を追加する補正は、いわゆる新規事項を追加するものであると主張する。　
　
　しかし、請求項１及び２は、上記訂正請求により削除された。
　
　これにより、異議申立人のこの主張は、理由がないものとなった。
　
　イ．異議申立人は、請求項４において「前記両給水導管間を接続する給水導管は、前記野菜室より取付け可能である。」とする点は、出願当初の明細書又は図面に記載されたものではなく、この点を追加する補正は、いわゆる新規事項を追加するものであると主張する。
　
  しかし、出願当初の明細書に、特許請求の範囲の各請求項に記載された発明の課題ないし作用に関して、「給水導管は冷凍室、冷蔵室の奥側に設置されており、給水導管の取外し時には全ての部品を外さないと、交換あるいは清掃することができなかった。」（段落【０００８】）、また、「本発明の給水管は、野菜室内に配置された第１の管と、これに給水ボトルからの水を導く第２の管とを有しており、容易に取り付け、取り外しができ、」（段落【００１４】）と記載されている。
　
　したがつて、この点を追加する補正は、出願当初の明細書又は図面に記載された事項の範囲内においてするものであり、異議申立人のこの主張は採用できない。
　
（２）本件出願は原出願（特願平７−１１２８０８号）の分割出願ではないとの主張について
　異議申立人は、請求項１、２及び請求項４において、給水ボトルと製氷皿の間を接続する給水導管を１つの給水導管と把握する点は、原出願の出願当初の明細書又は図面に記載された事項の範囲内のものではないと主張する。
　
　しかし、請求項１及び２は、上記したように、訂正請求により削除された。
　
　また、請求項４（訂正後の請求項１）には、「前記給水導管は、冷蔵室側の給水導管と、冷凍室側の給水導管と、前記両給水導管を接続し（中略）継パイプである給水導管とから構成された」と記載されている。
　
　そして、このように給水導管を構成することは、原出願の出願当初の明細書又は図面に記載された事項の範囲内のものである。
　
　したがって、本件出願は、原出願（特願平７−１１２８０８号）の分割出願である。
　
　なお、このことから、本件出願の出願日は、原出願の出願日に遡及し、原出願の公開公報は、本件出願の出願前に頒布されたものではなくなる。
　
５．まとめ
　以上のとおりであるから、請求項４（訂正後の請求項１）に係る特許は、異議申立の理由により取り消すことはできない。
　
　また、他に、請求項４（訂正後の請求項１）に係る特許を取り消すべき理由を発見しない。
　
　したがって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１６年８月１７日（２００４．８．１７）
【訂正の要旨】
審決（決定）の【理由】欄参照。
（５４）【発明の名称】
冷蔵庫
（５７）【特許請求の範囲】
　【請求項１】（削除）
　【請求項２】（削除）
　【請求項３】（削除）
　【請求項４】→【請求項１】に変更
　冷蔵室と、この冷蔵室の下方に配置された野菜室と、この野菜室の下方に配置された冷凍室と、前記野菜室内のほとんどの空間を占有するように配置され、扉に取付けられた引出し式容器と、前記冷蔵室内に配置された給水ボトルから前記冷凍室内に配置された製氷皿に給水する給水導管とを備え、前記給水導管は、冷蔵室側の給水導管と、冷凍室側の給水導管と、前記両給水導管間を接続し且つ前記野菜室内においてウレタンの外で前記野菜室内に配置された引出し式容器の奥部に配置され、前記野菜室より取付け、取外し可能な継パイプである給水導管とから構成された冷蔵庫。
　【請求項５】（削除）
　【請求項６】（削除）
　【請求項７】（削除）
【発明の詳細な説明】
　【０００１】
　【産業上の利用分野】
　本発明は、自動製氷機付き冷蔵庫に係り、上から冷蔵室、野菜室、冷凍室の順に配設された冷蔵庫に関する。
　【０００２】
　【従来の技術】
　従来一般に市販されている自動製氷機付き冷蔵庫を図５を参照して説明する。
　【０００３】
　図５は従来の自動製氷機構を組み込んだ冷蔵庫の要部の断面図である。
　【０００４】
　図５において、３１は冷蔵庫本体で、冷蔵庫本体３１はその内部の上に冷凍室３２、下に冷蔵室３３を有している。３４は冷凍室３２側に設置された製氷部で、製氷部３４は製氷皿３５でできた氷を自動的に離氷するための機械部３６と、製氷皿３５でできた氷を貯氷するアイスバンク３７等より構成されている。
　【０００５】
　また、３８は冷蔵室３３側に設置された給水部である。給水部３８は例えば、２リットル近い水が入る給水ボトル３９、定量皿４０、それに定量皿４０内の水を製氷皿３５に導くための給水ポンプ４１、およびカバー４２等より構成されている。４３は定量皿４０内の氷を製氷皿３５に導く給水導管である。
　【０００６】
　この種製氷部３４、給水部３８を備えた自動製氷機付き冷蔵庫は公知の給水−製氷−給水−製氷の一連の動作を自動的に繰り返すものである。
　【０００７】
　なお、この種の従来例には、例えば、特開平４−３１３６６５号公報に記載のものがある。
　【０００８】
　【発明が解決しようとする課題】
　この様な構造の従来の自動製氷機付き冷蔵庫では、次のような問題があった。上から、冷凍室、冷蔵室（あるいはその逆）の順に配設されている為、顧客の使い易さを考慮して、冷凍室前方には製氷部、冷蔵室前方には給水部が配置されているため、給水導管は冷凍室、冷蔵室の奥側に設置されており、給水導管の取外し時には全ての部品を外さないと、交換あるいは清掃することができなかった。又、ウレタン内に埋設されている時には、給水導管の取外しが出来ない場合もあった。
　【０００９】
　尚、従来の冷蔵庫では冷凍室が上、冷蔵室が下、あるいはその逆に隣接するため各部室を区画する仕切壁の高さは３０〜５０程度であり、給水導管もウレタン内に埋設でき、給水導管内に流れる水も管内にたまる確率も少ないため、給水導管の交換も不要という場合もあった。しかし、冷蔵室と冷凍室間に別の部屋（例えば野菜室）を配置した冷蔵庫では、給水導管をウレタン内に埋設すると給水導管の全長（全高）が長くなる為、給水導管内に水アカ等が付着した場合に給水導管の取外しが不可となり、衛生面における配慮に欠けてしまう問題が生じている。
　【００１０】
　本発明の目的は、給水導管をウレタンに埋設することなく、また、サービス性を向上させた冷蔵庫を提供することにある。
　【００１１】
　【課題を解決するための手段】（訂正有り）
　上記目的を達成するため、本発明の冷蔵庫は、冷蔵室と、この冷蔵室の下方に配置された野菜室と、この野菜室の下方に配置された冷凍室と、前記野菜室内のほとんどの空間を占有するように配置され、扉に取付けられた引出し式容器と、前記冷蔵室内に配置された給水ボトルから前記冷凍室内に配置された製氷皿に給水する給水導管とを備え、
前記給水導管は、
冷蔵室側の給水導管と、冷凍室側の給水導管と、前記両給水導管間を接続し且つ
　【００１２】（削除）
　【００１３】
　【作用】
　上記の構成による働きは次の通りである。
　【００１４】
　【作用】本発明の給水導管は、前記野菜室内においてウレタンの外で前記野菜室内に配置された引出し式容器の奥部に配置された継ぎパイプであるので、容易に取り付け、取り外しができ、サービス性が向上する。
　【００１５】
　【００１６】
　【実施例】
　以下、本発明の一実施例を図１ないし図３を参照して説明する。
　【００１７】
　図１は本発明の一実施例の自動製氷機付き冷蔵庫の縦断面図、図２は冷蔵室給水部の説明図、図３は野菜室と冷凍室上部の説明図、図４は野菜室の横断面図である。
　【００１８】
　まず図１で、１は上から冷蔵室２、野菜室３、冷凍室４の順に配設された冷蔵庫本体。５，６，７は冷蔵室２、野菜室３、冷凍室４の前面開口部を閉塞する扉体である。野菜室３と冷凍室４は、扉６，７に取付けられた引出し容器８，９により形成されている。
　【００１９】
　１０は、冷蔵室２の底部に設けられた給水部であり、給水部１０は給水ボトル１１、水受台１２等から構成されている。
　【００２０】
　また、１５は冷凍室４に設けた製氷部であり、製氷部１５は製氷皿１６、機械部１７、ヒータ付給水導管１８、アイスバンク１９等から構成されている。
　【００２１】
　２０は野菜室３に設けた蛇腹状の給水導管で、冷蔵室２側の給水導管１３と冷凍室４側のヒータ付給水導管１８間を接続するために設けられた。また、野菜室３は、野菜容器８、後述する給水導管固定用ブッシュ２１等から構成されている。
　【００２２】
　まず、冷蔵室２内に設置される給水部１０の構造について図２をもとに説明する。１１は給水ボトルで射出成形より形成し、くびれ部１１ａとねじ部１１ｂを有する給水口部が設けてあり、２２は給水ボトル１１の給水口部のねじ部１１ｂに着脱自在に締結されるキャップである。２３はキャップ２２内に組込まれている弁であり、弁２３は弁棒の押し棒２３ａとばね２３ｂを有している。また２４は水受台で、水受台２４は給水ボトル１１の給水口部の下部に位置する。１４は水受台２４に組込まれたソレノイドで、鉄芯１４ａは弁２３の押し棒２３ａに対向する位置にある。
　【００２３】
　２５は邪魔板で、邪魔板２５は給水導管１３の上方を囲むように設けられたものであり、底部に小孔２５ａを有している。小孔２５ａは、水受台２４を流れてきた水が、邪魔板２５の小孔２５ａを通って給水導管１３に至るため、水量が制限されたり、流れる水のスピードを落とすためのものである。流れる水のスピードが速いと製氷皿から水がとび散ってしまうという問題が発生するのである。
　【００２４】
　次に、冷凍室４内に設置される製氷部１５の構造について図３をもとに説明する。１８は後述する蛇腹状の給水導管２０と接続するヒータ付給水導管であり、製氷皿１６の真上に位置する。尚、ヒータ１８ｃは野菜室３と冷凍室４間を区画する区画壁２６内から製氷部１５上部までの範囲に取付けられており、給水導管１８の凍結防止を目的としている。またヒータ付給水導管１８の端部であり野菜室３の下面部２７にはフランジ１８ａが有しており、フランジ部１８ａの一部には凸部１８ｂを有している。凸部１８ｂは野菜室３と冷凍室４を区画する区画壁２６の凹部２６ａと嵌合されており、ヒータ付給水導管１８の回転防止と位置決めを兼ねる。１６は製氷皿であり、端部にはアイスバンク１９内の端氷を感知する為の機械部１７を有している。
　【００２５】
　次に冷蔵室２側から突出される給水導管１３と、冷凍室４側から突出されるヒータ付給水導管１８を接続する蛇腹状の給水導管２０を有する野菜室３内の構造について、図３と図４をもとに説明する。
　【００２６】
　図４に示す通り、野菜室３内は扉６に取り付けられた容器８で野菜室３内のほとんどの空間部を占有しているが、容器８奥側には蛇腹状の給水導管２０が、内箱２８に固着されたブッシュ２９により図面には記載されていないが、野菜室３全高の約半分の位置に固定されている。次に図３にて説明する。２０ａは蛇腹状の給水導管の端部で、冷凍室４から突出された給水導管１８と嵌合するため、給水導管１８の外形よりも少し大きめの内径で構成されている。また、もう一方の端部２０ｂは冷蔵室２より突出された給水導管１３の端部ねじ部１３ａと着脱自在に締結するためのキャップを有している。尚、蛇腹状の給水導管２０を取り付ける際は、まず上方の冷蔵室２側の給水導管１３と締結した後に、下方の冷凍室４側の給水導管１８に挿入して取付ける。勿論サービス時や清掃時で蛇腹状の給水導管２０を取外す時は、逆の作業を行なえば容易に出来る。
　【００２７】
　上記の実施例では、上から冷蔵室、野菜室、冷凍室の順に配置され、冷蔵室側に給水ボトルを、冷凍室側に製氷部を有する冷蔵庫で、野菜室に設置される給水導管をウレタンの外、いわゆる冷蔵庫内に設置させるようにした。
　【００２８】
　【発明の効果】
　本発明によれば、給水導管をウレタンに埋設することなく、また、サービス性を向上させた冷蔵庫を提供できる。
【図面の簡単な説明】
　【図１】本発明の一実施例の自動製氷機付き冷蔵庫の要部の縦断面図。
　【図２】冷蔵室給水部の説明図。
　【図３】野菜室と冷凍室上部の説明図。
　【図４】野菜室の横断面図。
　【図５】従来の自動製氷機構を組み込んだ冷蔵庫の要部の断面図。
　【符号の説明】
　２…冷蔵室、３…野菜室、４…冷凍室、１３…給水導管、１５…製氷部、１６…製氷皿、１７…機械部、１８…ヒータ付給水導管、１８ａ…フランジ、１８ｂ…フランジ部凸部、１８ｃ…ヒータ、１９…アイスバンク、２０…蛇腹状の給水導管、２０ａ…蛇腹状の給水導管端部、２０ｂ…蛇腹状の給水導管端部、２６…区画壁、２６ａ…区画壁凹部、２７…野菜室下面部。